(57)【特許請求の範囲】
【請求項１】
複数のＬＥＤ素子と、厚み方向と交差する方向の光を遮断するルーバーを備える遮光層を有するルーバーフィルムとを備え、
各ＬＥＤ素子毎に個別にルーバーフィルムが貼着されることを特徴とするＬＥＤ表示装置。
【請求項２】
前記ルーバーフィルムのルーバーは、厚み方向と平行に形成されることを特徴とする請求項１記載のＬＥＤ表示装置。
【請求項３】
前記ルーバーフィルムのルーバーは、厚み方向に対して所定の角度を成して形成されることを特徴とする請求項１記載のＬＥＤ表示装置。
【請求項４】
前記ルーバーフィルムは、少なくとも遮光層に関してＬＥＤ素子と反対側に、透光性を有する合成樹脂から成る保護層を有することを特徴とする請求項１〜３のいずれかに記載のＬＥＤ表示装置。
【請求項５】
複数のＬＥＤ素子がマトリクス状に配置されるパネルの表面に、厚み方向と交差する方向の光を遮断するルーバーを備える遮光層を有するルーバーフィルムを貼着した後に、ＬＥＤ素子とＬＥＤ素子とを分断することを特徴とするＬＥＤ表示装置の製造方法。
【発明の詳細な説明】
【０００１】
【発明の属する技術分野】
本発明は、ＬＥＤ（Light Emitting Diode：発光ダイオード）表示装置およびその製造方法に関する。
【０００２】
【従来の技術】
図１４は、従来技術のＬＥＤ表示装置１を簡略化して示す分解斜視図である。ＬＥＤ表示装置１は、チップ形ＬＥＤ素子がマトリクス状に配置された複数のモジュール２がマトリクス状に配置されて構成されている。チップ形ＬＥＤ素子は、輝度を高くするために、発光素子の背後に反射面を形成している。しかしながら反射面は、発光素子からの光を反射するだけでなく、ＬＥＤ表示装置１外からの外光をも反射してしまうので、ＬＥＤ素子の点灯時と消灯時とのコントラストが低下してしまう。この不具合を解消するために、ＬＥＤ表示装置１は、ＬＥＤ表示素子の表面側に、アクリルなどの合成樹脂からなる半透光性のフィルタ３を設けて、外光を入射しにくくしている。
【０００３】
図１６は、他の従来技術のＬＥＤ表示装置５を示す断面図であり、特開平６−１８６９１７号に示されている。このＬＥＤ表示装置５は、視認性を良好にするために、チップ形ＬＥＤ素子６の表面に臨んで反射内面を有する筒７を備え、可視光を透過するシート８を、筒７のＬＥＤ素子６とは反対側の開口に備えている。このようにして、ＬＥＤ素子６からの光が筒７の内面で乱反射して、筒７の内面全体が発光源となり、筒の上面のシートを照らし、照らされた部分のシートが発光することによって、斜め方向からの視認性を良好している。
【０００４】
図１７は、さらに他の従来技術のＬＥＤ表示装置１０を示す側面図であり、特開平４−７５９０号に示されている。ＬＥＤ表示装置１０は、マトリクス状に配置された複数のランプ形ＬＥＤ素子１１の前方に、庇状の突条１２を有するフィルタ１３が設けられる。このフィルタ１３は、突条１２を有するポリカーボネート成形板１４と、平板状のポリカーボネート成形板１５と、各成形板１４，１５間に介在される電磁シールド用布１６とを有する。このフィルタ１３は、突条１２によって、突条１２と交差する方向からの外光を遮断することができるように構成されている。
【０００５】
【発明が解決しようとする課題】
図１４に示すＬＥＤ表示装置１では、フィルタ３は、外光を入射しにくくするだけでなく、ＬＥＤ素子からの光をも遮ってしまうので、輝度が低下してしまうという問題を有する。図１５に示す特開閉６−１８６９１７号に開示される表示装置５もまた、上述の図１４に示す装置１と同様に、ＬＥＤ素子が輝度を向上するために反射面を有すると、同様の問題が生じる。
【０００６】
また図１６に示す特開閉４−７５９０号に開示される装置１０では、フィルタ１３は、図１７に示すように、フィルタ１３の成形板１４に形成される透孔１７を挿通して、各ＬＥＤ表示素子１１が搭載される基板に形成されるねじ孔１８に、ねじ部材１９を螺着することによって、取付けなければならない。また成形板１５もまた、同様の構成によって取付けなければならない。このようにフィルタ１３は、基板１８に取付けるために、各ＬＥＤ素子間にねじを配置するためのスペースを必要とし、各ＬＥＤ素子１１間の間隔を小さくして密に配置することができず、詳細な表示が臨まれるＬＥＤ表示装置には、適用することができない。なお図１７には、理解を容易にするために、ＬＥＤ素子１１および突条１２の一部を省略して示す。
【０００７】
したがって本発明の目的は、点灯時と消灯時とのコントラストが高く、かつＬＥＤ素子の周囲にコントラストを高くするための手段を取付けるための領域を必要としないＬＥＤ表示装置を提供することである。
【０００８】
【課題を解決するための手段】
本発明は、複数のＬＥＤ素子と、厚み方向と交差する方向の光を遮断するルーバーを備える遮光層を有するルーバーフィルムとを備え、
各ＬＥＤ素子毎に個別にルーバーフィルムが貼着されることを特徴とするＬＥＤ表示装置である。
【０００９】
本発明に従えば、ＬＥＤ素子の表面には、ルーバーフィルムが貼着され、このルーバーフィルムは、その厚み方向と交差する方向の光を遮断するルーバーを備える遮光層を有している。これによってルーバーフィルムの厚み方向と交差する方向からの外光がＬＥＤ素子に照射されることを防止することができる。したがってＬＥＤ素子に外光が照射されて、その光がＬＥＤ素子によって反射し、ＬＥＤ素子が点灯している状態に近くなることを防ぐことができ、ＬＥＤ素子の点灯時と消灯時とのコントラストを高くすることができる。
【００１０】
さらにルーバーフィルムは、ＬＥＤ素子の表面に貼着されるので、ルーバーフィルムを取付けるためにねじ部材などを用いる必要がなく、ＬＥＤ素子の周囲にルーバーフィルムを取付けるためのねじ部材などを配置するための領域を必要としない。特に複数のＬＥＤ素子を備えるＬＥＤ表示装置では、各ＬＥＤ素子間の間隔を小さくして、可及的に隣接して配置することが可能であり、高詳細な表示を可能にすることができる。しかも各ＬＥＤ素子間には、ルーバーフィルムが貼着されないので、必要とするルーバーフィルムの量を少なくすることができる。このようにして少ない量のルーバーフィルムを用いて、高詳細表示が可能でかつコントラストの高い液晶表示装置を実現することができる。
【００１３】
さらに本発明は、前記ルーバーフィルムのルーバーは、厚み方向と平行に形成されることを特徴とする。
【００１４】
本発明に従えば、ルーバーは、厚み方向と平行に形成されるので、ＬＥＤ素子の表面に垂直な光は遮らず、このＬＥＤ素子の表面に垂直な方向からは、表示内容を確認しやすくすることができる。
【００１５】
さらに本発明は、前記ルーバーフィルムのルーバーは、厚み方向に対して所定の角度を成して形成されることを特徴とする。
【００１６】
本発明に従えば、ルーバーは、厚み方向に対して所定の角度を成して形成されるので、前記厚み方向に対して所定の角度を成す方向の光は遮らず、この方向からは、表示内容を確認しやすくすることができる。
【００１７】
さらに本発明は、前記ルーバーフィルムは、少なくとも遮光層に関してＬＥＤ素子と反対側に、透光性を有する合成樹脂から成る保護層を有することを特徴とする。
【００１８】
本発明に従えば、前記ルーバーフィルムは、少なくとも遮光層のＬＥＤ素子と反対側に、透光性を有する合成樹脂から成る保護層を有する。これによってこの保護層によって遮光層を保護することができ、遮光層による外光を遮断する効果を長期にわたって持続させることができ、メンテナンス性に優れている。
【００１９】
さらに本発明は、複数のＬＥＤ素子がマトリクス状に配置されるパネルの表面に、厚み方向と交差する方向の光を遮断するルーバーを備える遮光層を有するルーバーフィルムを貼着した後に、ＬＥＤ素子とＬＥＤ素子とを分断することを特徴とするＬＥＤ表示装置の製造方法である。
【００２０】
本発明に従えば、複数のＬＥＤ素子が配置されるパネルの表面に、ルーバーフィルムを貼着した後に、ＬＥＤ素子とＬＥＤ素子とを分断するので、前記パネルを分断した後に、その分断された小さなＬＥＤ素子にルーバーフィルムを貼着する場合と比較して、ルーバーフィルムが貼着されたＬＥＤ素子を容易に製造することができる。
【００２１】
【発明の実施の形態】
図１は本発明の実施の一形態のＬＥＤ表示装置を構成するモジュール３０を示す側面図であり、図２はモジュール３０を示す斜視図であり、図３はモジュール３０を示す正面図である。ＬＥＤ表示装置は、複数のモジュール３０がマトリクス状に配置されて構成される。このモジュール３０は、配線基板３１に複数のチップ形ＬＥＤ素子３２がマトリクス状に配置されて搭載され、各ＬＥＤ素子３２の表面にルーバーフィルム３３が貼着されて、構成される。各ＬＥＤ素子３２は、ＬＥＤ表示装置が備える図示しない制御手段からの信号によって、選択的に点灯され、これによってＬＥＤ表示装置は、文字および絵などの画像を表示することができる。
【００２２】
ルーバーフィルム３３は、モジュール３０の全領域にわたって設けられ、粘着材３４によって各ＬＥＤ素子３２に貼着される。このルーバーフィルム３３は、遮光層３６を有し、この遮光層３６は、ルーバーフィルム３３の厚み方向Ｘと平行であり、かつ相互に平行に延びるルーバー３５を備えている。ルーバーフィルム３３は、この遮光層３６によって、ルーバーフィルム３３の厚み方向と交差する方向の光を遮断することができる。なお図１および図２には、ルーバーフィルム３３の厚みおよび遮光層３６を強調して示す。
【００２３】
図４はルーバーフィルム３３を拡大して示す断面図であり、図５はルーバー３５を示す斜視図である。図１〜図３をも併せて参照して、ルーバーフィルム３３は、遮光層３６と、この遮光層３６の厚み方向両側に設けられる保護層３７，３８とを有する。遮光層３６は、セルロースから成る厚さ１５μｍのルーバー３５が、間隔Ｄ＝１１０μｍ毎に等間隔に設けられ、図３において横方向となるモジュール３０のＬＥＤ素子３２が並ぶ一方向（図４において紙面に垂直な方向）に、モジュール３０の全長にわたって延びている。このルーバー３５は、遮光性を有し、ルーバー３５に対して交差する光を遮断する。このルーバー３５を備える遮光層３６の厚みは、２１０μｍであり、これによってルーバー３５の高さＨは、２１０μｍである。このようなルーバーフィルム３３は、その厚み方向Ｘに平行な軸線Ｌとの間で、ルーバー３５に対して垂直な面に沿った角度θが３０度を超える角度を成す光を遮断することができる。このルーバー３５間には、透光性を有する合成樹脂、たとえばポリエチレンテレフタレートが介在されている。図には、理解を容易にするために、ルーバー３５の厚みを省略して示す。
【００２４】
各保護層３７，３８は、透光性を有する合成樹脂、たとえばポリエチレンテレフタレートから成り、たとえば厚みＴ１が５０μｍ選ばれる。各保護層３７，３８は、遮光層３６に硬化形接着剤４０，４１を用いて接着され、ルーバーフィルム３３は、全体で厚みＴ２が３６０μｍに選ばれている。このようにルーバーフィルム３３として薄いフィルムを用いることによって、ＬＥＤ表示装置の厚みが大きくなることを防ぐことができる。
【００２５】
このようなルーバーフィルム３３を構成する各層３６；３７，３８；４０，４１の材料、遮光層３６においては各ルーバー３５間の領域の材料は、光の透過率がたとえば９０％程度の高い材料に選ばれ、各ＬＥＤ素子３２からの光を透過しやすく構成されているとともに、相互に屈折率が近い材料に選ばれ、各層３６；３７，３８；４０，４１の界面での光の反射を少なくし、各ＬＥＤ素子３２からの光を透過しやすく構成されている。さらにルーバーフィルム３３を貼着する粘着材３４を、ルーバーフィルム３３の各層３６；３７，３８；４０，４１と屈折率が近い材料に選ぶことによって、ルーバーフィルム３３と粘着材３４との界面での反射を抑制することができる。さらに好ましくは、後述する各ＬＥＤ素子３２の充填材５０をも、屈折率が近い材料に選ぶことによって、ＬＥＤ素子３２と粘着材３４との間の界面における反射も抑制することができる。
【００２６】
これによってルーバーフィルム３３を各ＬＥＤ素子３２の表面に貼着することによって、ルーバーフィルム３３の厚み方向となるモジュール３０の厚み方向に対して、ルーバー３５に対して垂直な面に沿った角度θが３０度を超える方向からの外光が、各ＬＥＤ素子３２に照射されることを防ぐことができ、前記角度θが３０度以下となる方向からは、表示内容を容易に確認することができる。このようにモジュール３０の厚み方向からルーバー３５に対して垂直な面に沿って両側に、３０度ずつ、全体で６０度の視野角を有する。ルーバー３５に平行な方向には、ルーバー３５による視野の制限はない。
【００２７】
もちろん本発明の他の形態として、ルーバー３５を格子状とするなど、ルーバー３５に対して交差する方向に延びるルーバーを形成し、ルーバー３５に平行な面に沿って、視野角度を設定するようにしてもよい。
【００２８】
図６は、モジュール３０の製造手順を示す断面図である。まず図６（１）に示すように、チップ形ＬＥＤ素子３２のチップ基板４５をマトリクス状に配置される一体のプレート４６を形成する。このプレート４６は、白色の液晶ポリマーから成り、各部分の４角に位置する部分には、導電性の材料から成る電極４７が形成されている。次に発光ダイオードから成るたとえば赤色および緑色の２つの発光素子４８を、各チップ基板４５毎にそれぞれマウントし、各発光素子４８の一方および他方がチップ基板４５の４角に位置する各電極４７に、個別に電気的にそれぞれ接続される。発光素子４８は、通電すると赤色または緑色に発光し、点灯する。また発光素子４８を、白色の材料から成るチップ基板４５にマウントすることによって、チップ基板４５の各発光素子４８がマウントされる側の表面が反射面として機能し、各ＬＥＤ素子３２の輝度を向上している。
【００２９】
次に図（３）に示すように、各発光素子４８を包み込むように、透光性を有する材料、たとえばエポキシ樹脂から成る充填材５０が充填され、相互に一体的に連なった状態で、各ＬＥＤ素子３２がそれぞれ形成される。この後に図４に示すように、ＬＥＤ素子３２とＬＥＤ素子３２とが、すなわち充填材５０とともにチップ基板４５とチップ基板４５とがそれぞれ分断され、独立したＬＥＤ素子３２がそれぞれ形成される。このような各ＬＥＤ素子３２が、モジュール３０を構成する配線基板３１に、マトリクス状に搭載され、各ＬＥＤ素子３２の表面に、粘着材３４によって、ルーバーフィルム３３が貼着される。このようにして、モジュール３０が製造される。
【００３０】
このようなモジュール３０を備えるＬＥＤ表示装置は、たとえば屋外でルーバー３５が水平方向に延びる状態で鉛直面に沿って配置して用いることによって、ＬＥＤ素子３２に外光である太陽光が照射されて、その光がＬＥＤ素子３２によって反射し、ＬＥＤ素子３２が点灯している状態に近くなることを防ぐことができ、ＬＥＤ素子３２の点灯時と消灯時とのコントラストを高くすることができる。また室内においても、同様にルーバー３５が水平に延びる状態で鉛直面に沿って配置することによって、外光である天井に設けられる照明からの光がＬＥＤ素子３２に照射されることを防ぎ、同様の効果を達成することができる。
【００３１】
さらにルーバーフィルム３３は、ＬＥＤ素子３２の表面に貼着されるので、ルーバーフィルム３３を取付けるためにねじ部材などを用いる必要がなく、ＬＥＤ素子３２の周囲にルーバーフィルム３３を取付けるためのねじ部材などを配置するための領域を必要としない。特に本形態のように複数のＬＥＤ素子３２を備えるＬＥＤ表示装置では、各ＬＥＤ素子３２を可及的に隣接して配置することが可能でり、高詳細な表示を可能にすることができる。
【００３２】
さらにルーバーフィルム３３を貼着する粘着材３４は、各ＬＥＤ素子３２間にも充填され、基板３１とルーバーフィルム３３との間に気泡が介在されない状態で、ルーバーフィルム３３は、各ＬＥＤ素子３２に貼着される。これによって気泡が介在される場合に、その気泡ないの空気が周囲の温度などの影響を受けて膨張し、ルーバーフィルム３３を剥がしたり、またはルーバーフィルム３３が部分的に隆起してＬＥＤ素子３２からの光を不所望に屈折させて、表示内容が歪んで見えてしまうなどの不具合を生じることがない。気泡が介在されることによって、気泡との界面で、光が反射しやすくなる不具合を防ぐことができる。
【００３３】
またルーバー３５は、ルーバーフィルム３３の厚み方向Ｘと平行に形成されるので、ルーバーフィルム３３は、ＬＥＤ素子３２の表面に垂直な光は遮らず、このＬＥＤ素子の表面に垂直な方向からは、表示内容を確認しやすくすることができる。
【００３４】
さらにルーバーフィルム３３は、遮光層３６のＬＥＤ素子３２と反対側に、保護層３７を有し、遮光層３６を保護することができ、遮光層３６による外光を遮断する効果を長期にわたって持続させることができ、メンテナンス性に優れている。本形態では、遮光層３６の両側に保護層３７，３８を有し、ルーバーフィルム３３の強度をさらに高くすることができる。
【００３５】
本発明の他の形態として、図５に仮想線で示すようにルーバー３５の高さＨ１を小さくして、１６０μｍに設定することによって、前記軸線Ｌからルーバー３５に垂直な面に沿った角度θ１が４５度を超える方向からの光を遮断することができ、ルーバー３５に垂直な面に沿って９０度の視野角度を得ることができる。このように、遮光層３６の厚み、具体的には、ルーバー３５の高さを選択することによって、視野角度を選択することができる。
【００３６】
図７は本発明の実施の他の形態のＬＥＤ表示装置を構成するモジュール３０ａを示す側面図であり、図８はモジュール３０ａのルーバーフィルム３３ａを拡大して示す断面図であり、図９はルーバーフィルム３３ａが備えるルーバー３５ａを示す斜視図である。本形態のモジュール３０ａは、図１〜図６を参照して説明した形態のモジュール３０と類似しており、異なる構成についてだけ説明し、同様の構成を有する部分は、同一の参照符号を付し、説明を省略する。モジュール３０ａのルーバーフィルム３３ａは、遮光層３６ａのルーバー３５ａが、ルーバーフィルム３３ａの厚み方向Ｘに対して、角度αを成して形成される。
【００３７】
このようなルーバーフィルム３３ａは、その厚み方向Ｘに対して前記角度αを成す軸線Ｌａに対して、ルーバー３５ａに対して垂直な面に沿った角度θが３０度を超える角度を成す光を遮断することが可能である。
【００３８】
これによってルーバーフィルム３３ａを各ＬＥＤ素子３２の表面に貼着することによって、ルーバーフィルム３３ａの厚み方向となるモジュール３０ａの厚み方向に対して、角度αを成す軸線Ｌａからルーバー３５に対して垂直な面に沿った角度θが３０度を超える方向からの外光が、各ＬＥＤ素子３２に照射されることを防ぐことができ、前記角度θが３０度以下となる方向からは、表示内容を確認することができる。モジュール３０の厚み方向からルーバー３５に対して垂直な面に沿って両側に、３０度ずつ、全体で６０度の視野角を有する。ルーバー３５に平行な方向には、ルーバー３５による視野の制限はない。このようにルーバー３５ａを所定方向に傾斜させることによって、この所定方向を中心として、この所定方向付近からの表示内容の確認を容易にすることができる。このようにルーバー３５ａを傾斜させた構成においても、ルーバー３５ａの高さを選択することによって、視野角度を選択することができる。またルーバー３５ａの傾斜角度αは、１つのＬＥＤ表示装置に用いられる複数のモジュールで、異なる角度にそれぞれ選択するようにしてもよい。
【００３９】
図１０は本発明の実施のさらに他の形態のＬＥＤ表示装置を構成するモジュール１３０を示す正面図であり、図１１はモジュール１３０の一部を拡大して示す斜視図である。モジュール１３０は図１〜図６を参照して説明した形態のモジュール３０と類似の構成を有しており、異なる構成についてだけ説明し、同様の構成を有する部分は、同一の参照符号を付し、説明を省略する。上述の形態のモジュール３０では、ルーバーフィルム３３がモジュール３０の全領域にわたって設けられたけれども、本形態のモジュール１３０では、ルーバーフィルム３３は各ＬＥＤ素子３２毎に個別に貼着されている。ルーバーフィルム３３は、同様の粘着材３４によって、各ＬＥＤ素子３２に貼着されるけれども、図１１には、粘着材３４層の厚みを省略して示す。
【００４０】
このようなモジュール１３０を備えるＬＥＤ表示装置もまた、上述のモジュール３０を備えるＬＥＤ表示装置と同様の効果を達成することができる。さらにルーバーフィルム３３を、各ＬＥＤ素子３２毎に貼着することによって、各ＬＥＤ間に無駄なルーバーフィルム３３を必要とせず、ルーバーフィルム３３の必要量を少なくすることができる。また各ＬＥＤ素子３２間にルーバーフィルム３３を設ける構成と比較して、配線基盤３１とルーバーフィルム３３との間に気泡が介在されにくく、上述したような気泡による不具合が生じにくい。またモジュール３０の全領域にわたってルーバーフィルム３３を貼着する場合のように、各ＬＥＤ素子３２間の狭い空間を貼着材で３４で満たしてしまう必要がなく、このような充填し難い空間に気泡が残ってしまい、前述のような気泡による不具合の発生も少なくすることができる。
【００４１】
またこのようなＬＥＤ素子３２にルーバーフィルムを個別に貼着する構成において、ルーバーフィルムとして、ルーバーが厚み方向に対して傾斜するルーバーフィルムを用いてもよい。さらに各ＬＥＤ素子毎にルーバーの傾斜角度および傾斜方向を異ならせてもよい。
【００４２】
図１２はモジュール１３０の製造手順を示す断面図であり、図１３はモジュール１３０の製造手順を説明するための斜視図である。まず図１２（１）に示すように、チップ形ＬＥＤ素子３２のチップ基板４５をマトリクス状に配置される一体のプレート４６を形成する。このプレート４６は、白色の液晶ポリマーから成り、各部分の４角に位置する部分には、導電性の材料から成る電極４７が形成されている。次に発光ダイオードから成るたとえば赤色および緑色の２つの発光素子４８を、各チップ基板４５毎にそれぞれマウントし、各発光素子４８の一方および他方がチップ基板４５の４角に位置する各電極４７に、個別に電気的にそれぞれ接続される。このように発光素子４８を、白色の材料から成るチップ基板４５にマウントすることによって、チップ基板４５の各発光素子４８がマウントされる側の表面が反射面として機能し、各ＬＥＤ素子３２の輝度を向上している。
【００４３】
次に各発光素子４８を包み込むように、透光性を有する材料、たとえばエポキシ樹脂から成る充填材５０が充填され、相互に一体的に連なった状態で、各ＬＥＤ素子３２がそれぞれ形成され、このように一体に連なった状態で、プレート４６と同一の大きさを有するルーバーフィルム３３を、図１２（３）および図１３（１）に示すように、充填材５０の上から各ＬＥＤ素子３２の表面に貼着する。この後に、図１２（４）および図１３（２）に示すように、たとえばブレード５５を用いて、ＬＥＤ素子３２とＬＥＤ素子３２とを、すなわちルーバーフィルム３３および充填材５０とともに、チップ基板４５とチップ基板４５とをそれぞれ分断さし、図１３（３）に示すような独立したＬＥＤ素子３２をそれぞれ形成する。このような各ＬＥＤ素子３２を、モジュール１３０を構成する配線基板３１に、マトリクス状に搭載される。このようにして、モジュール１３０が製造される。
【００４４】
このように複数のＬＥＤ素子３２が配置されるパネル４６の表面に、ルーバーフィルム３３を貼着した後に、ＬＥＤ素子３２とＬＥＤ素子３２とを分断するので、前記パネル４６を分断した後に、その分断された小さなＬＥＤ素子３２にルーバーフィルム３３を貼着する場合と比較して、ルーバーフィルム３３が貼着されたＬＥＤ素子３２を容易に製造することができる。
【００４５】
上述の形態は、本発明の一例に過ぎず、本発明の範囲内で構成を変更することが可能である。たとえばルーバーフィルムは、遮光層の厚み方向一方側にだけ、保護層を有する構成とし、他方側には粘着材を塗布して粘着材層を形成しておき、この粘着材層によって、ＬＥＤ素子に貼着するようにして、貼着作業の手間を少なくするようにしてもよい。またルーバーなどの材質、ルーバー間隔などの寸法は、適宜変更することが可能である。
【００４６】
【発明の効果】
本発明によれば、ＬＥＤ素子の表面には、ルーバーフィルムが貼着され、このルーバーフィルムは、その厚み方向と交差する方向の光を遮断するルーバーを備える遮光層を有している。これによってルーバーフィルムの厚み方向と交差する方向からの外光がＬＥＤ素子に照射されることを防止することができる。したがってＬＥＤ素子に外光が照射されて、その光がＬＥＤ素子によって反射し、ＬＥＤ素子が点灯している状態に近くなることを防ぐことができ、ＬＥＤ素子の点灯時と消灯時とのコントラストを高くすることができる。
【００４７】
さらにルーバーフィルムは、ＬＥＤ素子の表面に貼着されるので、ルーバーフィルムを取付けるためにねじ部材などを用いる必要がなく、ＬＥＤ素子の周囲にルーバーフィルムを取付けるためのねじ部材などを配置するための領域を必要としない。特に複数のＬＥＤ素子を備えるＬＥＤ表示装置では、各ＬＥＤ素子間の間隔を小さくして、可及的に隣接して配置することが可能であり、高詳細な表示を可能にすることができる。しかも各ＬＥＤ素子間には、ルーバーフィルムが貼着されないので、必要とするルーバーフィルムの量を少なくすることができる。このようにして少ない量のルーバーフィルムを用いて、高詳細表示が可能でかつコントラストの高い液晶表示装置を実現することができる。
【００４９】
さらに本発明によれば、ルーバーは、厚み方向と平行に形成されるので、ＬＥＤ素子の表面に垂直な光は遮らず、このＬＥＤ素子の表面に垂直な方向からは、表示内容を確認しやすくすることができる。
【００５０】
さらに本発明によれば、ルーバーは、厚み方向に対して所定の角度を成して形成されるので、前記厚み方向に対して所定の角度を成す方向の光は遮らず、この方向からは、表示内容を確認しやすくすることができる。
【００５１】
さらに本発明によれば、前記ルーバーフィルムは、少なくとも遮光層のＬＥＤ素子と反対側に、透光性を有する合成樹脂から成る保護層を有する。これによってこの保護層によって遮光層を保護することができ、遮光層による外光を遮断する効果を長期にわたって持続させることができ、メンテナンス性に優れている。
【００５２】
さらに本発明によれば、複数のＬＥＤ素子が配置されるパネルの表面に、ルーバーフィルムを貼着した後に、ＬＥＤ素子とＬＥＤ素子とを分断するので、前記パネルを分断した後に、その分断された小さなＬＥＤ素子にルーバーフィルムを貼着する場合と比較して、ルーバーフィルムが貼着されたＬＥＤ素子を容易に製造することができる。
【図面の簡単な説明】
【図１】本発明の実施の一形態のＬＥＤ表示装置を構成するモジュール３０を示す側面図である。
【図２】モジュール３０を示す斜視図である。
【図３】モジュール３０を示す正面図である。
【図４】ルーバーフィルム３３を拡大して示す断面図である。
【図５】ルーバー３５を拡大して示す斜視図である。
【図６】モジュール３０の製造手順を示す断面図である。
【図７】本発明の実施の他の形態のＬＥＤ表示装置を構成するモジュール３０ａを示す側面図である。
【図８】ルーバーフィルム３３ａを拡大して示す断面図である。
【図９】ルーバー３５ａを拡大して示す斜視図である。
【図１０】本発明の実施のさらに他の形態のＬＥＤ表示装置を構成するモジュール１３０を示す正面図である。
【図１１】モジュール１３０の一部を拡大して示す斜視図である。
【図１２】モジュール１３０の製造手順を示す断面図である。
【図１３】モジュール１３０の製造手順を説明するための斜視図である。
【図１４】従来技術のＬＥＤ表示装置１を示す分解斜視図である。
【図１５】他の従来技術のＬＥＤ表示装置５を示す断面図である。
【図１６】さらに他の従来技術のＬＥＤ表示装置１０を示す側面図である。
【図１７】ＬＥＤ表示装置１０の製造手順を示す斜視図である。
【符号の説明】
３０  モジュール
３１  配線基板
３２  チップ形ＬＥＤ素子
３３  ルーバーフィルム
３４  粘着材
３５  ルーバー
３６  遮光層
３７，３８  保護層
α  ルーバーの傾斜角度
θ，θ１  視野角度
【図１】
0003869120.tif 000002
【図２】
0003869120.tif 000003
【図３】
0003869120.tif 000004
【図４】
0003869120.tif 000005
【図５】
0003869120.tif 000006
【図６】
0003869120.tif 000007
【図７】
0003869120.tif 000008
【図８】
0003869120.tif 000009
【図９】
0003869120.tif 000010
【図１０】
0003869120.tif 000011
【図１１】
0003869120.tif 000012
【図１２】
0003869120.tif 000013
【図１３】
0003869120.tif 000014
【図１４】
0003869120.tif 000015
【図１５】
0003869120.tif 000016
【図１６】
0003869120.tif 000017
【図１７】
0003869120.tif 000018